(57)【要約】      （修正有）【課題】移動体端末の位置に関わらず、希望するコンテンツを著作権保護の仕組みからはみ出ない形で視聴可能とする技術を提供する。【解決手段】Ｓ１２で視聴又は録画予約開始時間になったかを判断し、Ｙの場合にはＳ１３に進み蓄積済みコンテンツが存在するかを判断する。ここでＹであればＳ１４に進み蓄積済みのコンテンツと実際に放送される番組の内容とが異なるかを判断し、Ｙの場合にはＳ１５に進み、予約されたコンテンツが放送されないことをユーザに伝え、蓄積済みコンテンツはその番組の元々の放送終了時間に録画済みのコンテンツとして扱う。Ｓ１４でＮの場合には、Ｓ１６に進み蓄積されたコンテンツを再生する。Ｓ１３で蓄積済みコンテンツが存在しないと判断された場合には、Ｓ１７に進み視聴予約があるか否かを判断する。Ｙの場合にはＳ１８に進み予約番組を受信しユーザに提示する。Ｎの場合にはＳ１９に進み、予約番組を受信し録画する。【選択図】図４
2006270232.tif 000002
【特許請求の範囲】
【請求項１】
コンテンツを取得するコンテンツ取得部と、
取得した前記コンテンツを蓄積するコンテンツ蓄積部と、
前記コンテンツ蓄積部に蓄積されているコンテンツの処理に関する時間制限が付加されている場合に、該時間制限に基づいて前記コンテンツの処理に関する制御を行う制御部と
を有する移動体端末。
【請求項２】
前記コンテンツを事前に取得した場合に付加される前記時間制限が、コンテンツに関する処理が可能な第１の時間帯に関する時間制限であることを特徴とする請求項１に記載の移動体端末。
【請求項３】
前記処理は、コンテンツの巻き戻し、早送り、一次停止の操作を含むことを特徴とする請求項２に記載の移動体端末。
【請求項４】
前記コンテンツ蓄積部に蓄積されているコンテンツの出力を行うコンテンツ出力部を備え、前記コンテンツを事前に取得した場合に付加される前記時間制限が、コンテンツを再生する処理を行うことが可能な第２の時間帯に関する時間制限であることを特徴とする請求項１に記載の移動体端末。
【請求項５】
前記第１又は第２の少なくとも一方の時間帯を、前記コンテンツが一般に公開される第３の時間帯と対応させることにより、コンテンツの処理に関する時間制限が決定されることを特徴とする請求項３又は４に記載の移動体端末。
【請求項６】
前記コンテンツがリアルタイムに配信されるコンテンツである場合に、
前記第１又は第２の時間帯と現在日時とを比較し、該現在日時が前記第１又は第２の時間帯の範囲内にある場合に、前記処理又は再生が可能になることを特徴とする請求項５に記載の移動体端末。
【請求項７】
前記コンテンツがリアルタイムに配信されるコンテンツである場合に、
前記第１又は第２の時間帯と現在日時とを比較し、該現在日時が前記第１又は第２の時間帯の範囲内にある場合に、前記第１又は第２の時間帯の開始時刻から前記現在日時までの間に対応するコンテンツの部分のみ前記処理又は再生が可能になることを特徴とする請求項５に記載の移動体端末。
【請求項８】
前記コンテンツが一括して提供されるコンテンツである場合に、前記第１又は第２の時間帯と現在日時とを比較し、該現在日時が前記第１又は第２の時間帯の範囲内にある場合に、コンテンツ全体に関して前記処理又は再生が可能になることを特徴とする請求項５に記載の移動体端末。
【請求項９】
前記コンテンツの視聴予約に応じて、前記蓄積部に前記視聴予約時間帯において再生される制限が付加されたコンテンツが事前に蓄積されることを特徴とする請求項１から８までのいずれか１項に記載の移動体端末。
【請求項１０】
前記コンテンツの視聴予約を行った場合であって、前記コンテンツを事前に蓄積した後に前記視聴予約が取り消された場合に、前記コンテンツを前記蓄積部から消去する処理を行うことを特徴とする請求項１から９までのいずれか１項に記載の移動体端末。
【請求項１１】
コンテンツを取得するコンテンツ取得部と、取得した前記コンテンツを蓄積するコンテンツ蓄積部と、該コンテンツ蓄積部に蓄積されているコンテンツの出力を行うコンテンツ出力部と、を有する移動体端末に対してコンテンツを提供するコンテンツ提供装置であって、
提供するコンテンツに、コンテンツの処理に関する制限を付加して提供することを特徴とするコンテンツ提供装置。
【請求項１２】
提供するコンテンツに、コンテンツの処理に関する時間制限を付加して提供するコンテンツ提供装置と、
コンテンツを取得するコンテンツ取得部と、取得した前記コンテンツを蓄積するコンテンツ蓄積部と、該コンテンツ蓄積部に蓄積されているコンテンツに関して前記時間制限に基づく処理を行うように制御する制御部と、を有する移動体端末と、
を備えたコンテンツ送受信システム。
【請求項１３】
コンテンツを取得するステップと、
取得した前記コンテンツを蓄積するステップと、
蓄積されている前記コンテンツに対して処理に関する時間制限が付加されている場合に、該時間制限に基づいて前記コンテンツの処理を行うステップと
を有するコンテンツ処理方法。
【請求項１４】
コンピュータに、請求項１３に記載のステップを実行させるためのプログラム。
【発明の詳細な説明】
【技術分野】
【０００１】
本発明は、移動体端末に関し、特に移動体端末を利用してコンテンツを視聴する技術に関する。
【背景技術】
【０００２】
近年、移動体端末を利用して、テレビ放送などのコンテンツを視聴することができるようになってきた。ユーザは、移動先においてもテレビ放送を視聴できるので便利である。
【０００３】
移動体端末を利用してテレビやラジオなどの放送を受信する際に、ユーザが視聴したいコンテンツが事前にわかっている場合、あるいは、コンテンツの視聴予約や録画予約を設定していたとしても、放送時間にその電波を受信可能なエリア内に移動体端末が位置していない場合には視聴することができない。また、録画予約をしていたとしても、コンテンツを録画することができないため後から視聴することもできない。
【０００４】
下記特許文献１に記載の技術は、放送電波の瞬間的な切断によるデジタルデータの欠落を予測し、事前に欠落が予想されるデジタルデータを放送局からの通信経由又は放送波経由で取得し、端末側に格納しておくものである。欠落が発生した際には、欠落したデータを予め用意しておいた補完用データにより端末側で補完し、放送の途切れを防止する。この際のデータの欠落予想はデータが完全に欠落する場合のみを予測するのではなく、データが欠落するおそれがある状態を、マージンを持って予測するようにすることで、速やかにデータ補完を行うと共に、予想外の急激なデジタル電波の途切れによる映像・音声出力の停止確率を低減することが可能となる。
【０００５】
下記特許文献２は、受信している放送データにデータの欠落が発生すると予測される時には、欠落データを補完するデータを携帯電話機等の通信機器を経由して取得し、放送が連続的に記録・再生できるように補完して、データの連続性を保つ技術を開示している。補完データの取得が間に合わない場合には、欠落したデータの部分に、ノイズデータを挿入する。更に欠落個所までのデータの再生する速度を遅くすることにより、バッファ中に一定量のデータを保持し、放送が途切れることを防止する。
【０００６】
【特許文献１】特開２００３−１３４０６４号公報
【特許文献２】特開２００４−４０２７６号公報
【発明の開示】
【発明が解決しようとする課題】
【０００７】
しかしながら、上記特許文献１及び２に記載の技術では、通信機器を経由して補完データを取得するため、この通信機器により補完データを取得できない場合には、欠落部分の番組情報を得ることができず、結局視聴ができないということになる。また、データの欠落を事前に予測できなかった場合や、予測が外れてしまった場合には、補完すべきデータを事前に調達することができず、結果的に欠落部の視聴ができなくなり、視聴者に不快感を与えかねない。
【０００８】
このように、移動体端末でテレビやラジオなどの放送を受信する際、視聴したいと思っているコンテンツが事前にあったとしても、あるいは、コンテンツの視聴予約や録画予約を設定していたとしても、放送時間にその電波を受けられる場所にいなければ、満足に視聴することができず、録画予約をしていても録画されるコンテンツが満足に視聴できないものとなってしまうという問題がある。
【０００９】
本発明の目的は、移動体端末の位置に関わらず、希望するコンテンツを移動体端末を利用して、一般的な著作権保護の仕組みからはみ出ない形で視聴可能とする技術を提供することを目的とする。
【課題を解決するための手段】
【００１０】
本発明の一観点によれば、コンテンツを取得するコンテンツ取得部と、取得した前記コンテンツを蓄積するコンテンツ蓄積部と、前記コンテンツ蓄積部に蓄積されているコンテンツの処理に関する時間制限が付加されている場合に、該時間制限に基づいて前記コンテンツの処理に関する制御を行う制御部とを有する移動体端末が提供される。
【００１１】
上記移動体端末を用いると、予めコンテンツを蓄積しておくため、電波状況などに左右されずに、ある時間制限の元でコンテンツを再生する等の処理を行うことができる。
【発明の効果】
【００１２】
本発明によれば、事前にコンテンツを取得しておくことで、実際に電波が受けられない場所にいる場合でも、一般的な著作権上の制約を受けながらコンテンツの視聴又は予約を行うことができる。従って、著作権上は問題のない仕組みのなかで、電波などの問題でコンテンツを取得できない状況の中でも、コンテンツを視聴することができるという利点がある。
【発明を実施するための最良の形態】
【００１３】
本明細書において、「コンテンツを事前に取得する」との用語は、一般に提供される時間より前に取得することを意味し、例えば、１７時から１８時までの放送番組であれば、それよりも前の日時に取得することを意味する。「時間制限」とは、ある時間帯はコンテンツを視聴できない場合、ある時間帯のみコンテンツを視聴できる場合、ある時間帯のみコンテンツに関する処理が可能な場合、不可能な場合、ある時点を境に処理の制限が変更される場合などを含む広い概念である。
【００１４】
以下、本発明の実施の形態について図面を参照しつつ説明を行う。図１は、本発明の実施の形態による携帯受信端末（移動体端末）を含む通信システム構成例を示す図である。図２は、コンテンツデータの構成例を示す図である。図３から図６までは、移動体端末を用いたコンテンツ視聴に関する処理の流れを示すフローチャート図である。図７は、映像コンテンツの場合のコンテンツ再生の原理を示す図である。
【００１５】
図１に示すように、本実施の形態による携帯受信端末を含む通信システムＡは、ＴＶ局、ラジオ局などの番組配信局１と、携帯受信端末１１と、を有している。番組配信局１は、放送電波を放射するアンテナ３と、送信部５と、コンテンツの蓄積部７と、放送データとは異なるデータを送受信する通信部１０と、を有している。携帯受信端末１１は、番組配信局１からアンテナ３を介して放送された番組等を受信するアンテナ部１７及び受信部２１と、番組配信局１側の通信部１０との間でデータのやり取りを行う携帯受信端末１１側の通信部２３と、コンテンツなどのデータを蓄積する蓄積部２５（例えば、内蔵メモリ）と、例えば操作キーなどを含む入力部２７と、ＬＣＤ液晶を含む表示部３１と、これらの各構成を制御する制御部１５と、を有している。制御部には図示しないタイマ部が設けられている。
【００１６】
図２に示すように、番組配信局１から配信され携帯受信端末１１側の蓄積部２５に蓄積されているコンテンツデータには、例えば、そのコンテンツを識別するためのＩＤ４３と、放送エリア、放送チャンネル、放送日時情報などのコンテンツの属性データ４５と、実際のコンテンツのデータ４７とが含まれる。尚、属性データ４５は、配信時にその情報が付属されている形態、すなわち、図２に示すようにデータ構成のヘッダ部に記載されている形態でも良いし、コンテンツデータ内に属性データが多重化されて記録されている形態でもよい。或いは、別の方法でもよく、蓄積されたコンテンツの放送エリア、放送チャンネル、放送日時を特定可能な方法・手段であれば、その方法・手段などの種別を限定するものではない。
【００１７】
本実施の形態による技術では、ユーザが視聴予約又は録画予約しているコンテンツのうち、その番組の収録が既に終わっているなどの事情があり、コンテンツを事前配信することが可能であるコンテンツに関して、放送開始より以前に、通信部１０経由また送信部５（放送波）経由で携帯受信端末１１の蓄積部２５にコンテンツを蓄積させておくことを特徴とする。或いは、視聴又は録画予約を設定した時点では、そのコンテンツはまだ未収録などにより配信不可能であったとしても、放送開始日時前までに配信可能となった時点で同様に携帯受信端末１１にコンテンツを配信しておく。但し、属性データ４５として保持されている放送の開始日時データにより特定されているコンテンツの実際の放送の開始日時までは、コンテンツを視聴することはできないように視聴時間制限が付されている点に特徴がある。
【００１８】
実際の時間は、図示しないタイマにより計時され、一方、コンテンツに関する属性データとして付随する放送日時情報は、タイマにより計時された時間と対応することにより、実際の時間と蓄積されているコンテンツの再生に関する時間の制限とを対応付けすることができる。
【００１９】
次に、コンテンツの蓄積と再生を含む処理の流れについて説明する。まず、コンテンツの蓄積処理に関しては、図３に示すように、蓄積処理を開始し（ステップＳ１）、ステップＳ２において、まだ蓄積していない予約コンテンツがあるか否かを判断する。未蓄積の予約コンテンツがない場合には（Ｎ）処理を終了する（ステップＳ６）。未蓄積の予約コンテンツがある場合には（Ｙ）、ステップＳ３において事前に配信可能なコンテンツが存在するか否かをチェックする処理に入り、ステップＳ４において取得可能な未蓄積コンテンツが存在しない場合には（Ｎ）、処理を終了する（ステップＳ６）。取得可能な未蓄積コンテンツが存在する場合には（Ｙ）、ステップＳ５においてコンテンツを蓄積部２５（図１）に蓄積し、蓄積処理を終了する（ステップＳ６）。
【００２０】
次に、上記蓄積処理において蓄積したコンテンツを再生する場合には、図４に示すように、ステップＳ１１において処理を開始し（スタート）、ステップＳ１２において、視聴又は録画予約開始時間になったか否かを判断する。時間になった場合には（Ｙ）ステップＳ１３に進み、蓄積済みコンテンツが存在するか否かを判断する。蓄積済みコンテンツが存在する場合には、ステップＳ１４に進み、蓄積済みのコンテンツと実際に放送される番組（コンテンツ）の内容とが異なるか否かを判断する。判断の結果、蓄積済みのコンテンツと実際に放送される番組（コンテンツ）の内容とが異なる場合には（Ｙ）、ステップＳ１５に進み、予約されたコンテンツが放送されないことをユーザに伝え、蓄積済みコンテンツはその番組の元々の放送終了時間に録画済みの（すなわち視聴可能な）コンテンツとして扱われるようにする。蓄積済みのコンテンツと実際に放送される番組（コンテンツ）の内容とが異ならない場合には（Ｎ）、ステップＳ１６に進み、蓄積されたコンテンツを再生する。
【００２１】
ステップＳ１３で蓄積済みコンテンツが存在しないと判断された場合には（Ｎ）、ステップＳ１７に進み、コンテンツに関する視聴予約があるか否かを判断する。視聴予約がある場合には（Ｙ）ステップＳ１８に進み予約番組を受信しユーザに提示する。視聴予約がない場合には（Ｎ）ステップＳ１９に進み、予約番組を受信し録画する。上記各処理の後にコンテンツの再生処理を終了する（ステップＳ２０：エンド）。
【００２２】
次に、図５を参照しつつチャネルを変更した場合の処理について説明する。まず、ステップＳ２１においてチャネル変更処理を開始し（スタート）、ステップＳ２２においてチャネルが変更されたか否かを判断する。次いで、ステップＳ２３において、変更先のチャンネルで現在放送されているコンテンツを既に蓄積しているか否かを判断する。蓄積していない場合には、ステップＳ２５に進み、放送を受信する。蓄積済みの場合には、ステップＳ２４に進み、現在の時間に対応するコンテンツの部分から蓄積データを再生する処理を行う。ステップＳ２４又はステップＳ２５から、ステップＳ２６に進み、処理を終了する（エンド）。このようにして、チャネルを変更した場合においても、違和感無くコンテンツを視聴することができる。
【００２３】
次に、図６を参照しつつコンテンツの予約をキャンセルした場合の処理について説明する。まず、ステップ３１において処理を開始し、ステップＳ３２において予約キャンセルの処理が行われたか否かを判断する。予約がキャンセルされた場合には、ステップＳ３３において、キャンセルされた予約コンテンツは既に蓄積済みであるか否かを判断する。ステップＳ３４において、ステップＳ３２で予約がキャンセルされた蓄積済みコンテンツを消去する処理を行う。ステップＳ３２において予約がキャンセルされていない場合、ステップＳ３３においてキャンセルされた予約コンテンツが既に蓄積済みではない場合には、ステップＳ３５において処理を終了する（エンド）。このようにして、予約がキャンセルされた場合には、蓄積済みのコンテンツを消去することにより、あたかも蓄積済みのコンテンツがなかったようにすることで、コンテンツの予約がキャンセルされた場合と同様の感覚で操作することができる。
【００２４】
さらに、蓄積されていたコンテンツの放送開始日時になったとしても、蓄積コンテンツの視聴可能部分が実際の放送の時間の経過に応じて増えていくように制御する。これにより、ユーザから見れば、既に蓄積済みのコンテンツを再生しているにもかかわらず、あたかもその放送をリアルタイムに現在受信し視聴していると感じさせるように、コンテンツの再生することができる。これにより、放送コンテンツの情報が放送開始前に世の中に出回ってしまうのを回避することができるとともに、受信電波の状態によってもコンテンツの視聴が妨げられなくて済むという利点がある。
【００２５】
尚、チューナーが１つの場合でも、そのコンテンツが事前に配信され蓄積できた場合には、そのコンテンツの放送開始時間と同時間の別のチャンネルも視聴または録画予約が可能となる。さらに、そのコンテンツも事前配信された場合には、同時間に別チャンネルの予約も可能となる。但し、同時に視聴可能なコンテンツ数を越えて視聴予約を行った場合には、自動的に録画予約コンテンツ扱いとするのが好ましい。例えば、ディスプレイが多画面対応などの場合には、複数のコンテンツを同時に視聴予約することが可能となるが、この場合においても、事前に蓄積されたコンテンツはその放送の開始時間前には視聴できないようになっている。この仕組みは、上述のように、タイマにより計時された実際の時間と、コンテンツの属性データとして付随する放送日時情報とを対応付けしておくことにより、実際の時間と蓄積されているコンテンツの再生に関する時間の制限とを対応付けすることができる。
【００２６】
図７は、コンテンツが映像コンテンツの場合における、コンテンツの取り扱いに関する具体的な例を示す図である。図７に示すように、１９：００〜２０：００までの時間帯を考える。コンテンツが１９：００〜２０：００までの時間帯に放送される場合には、予め蓄積されたコンテンツの再生も、１９：００〜２０：００までの間に通常の放送視聴と同じように視聴することができる。蓄積されたコンテンツの放送が開始されると、実際の時間以前の部分は録画済コンテンツという扱いとし、タイムシフトなどの視聴を可能とする。現在の時刻が１９：３０であるとすると、番組の放送開始から３０分が経過したことになる。そこで、１９：００〜１９：３０までの間に放送された番組と対応するコンテンツは、早送り、巻き戻し、一時停止などの操作が可能であり、あたかも、１９：００〜１９：３０まで放送されていた番組を記録した場合と同じ取り扱いが可能である。しかしながら、１９：３０以降の放送内容に関しては、上記の操作はできないようになっている。例えば、早送り、巻き戻しなどはできない。これも、実際に現在放送中の番組と同じ扱いとなっている。尚、時差などを考慮した場合には、様々な取り扱いが可能であるが、放送が行われている地点における標準時間を基準とするのが好ましい。
【００２７】
視聴予約をして事前配信されたコンテンツを、そのコンテンツの放送時間に視聴し、そのコンテンツの視聴が終了すると、自動的にそのコンテンツが消去される。事前配信されているコンテンツが存在する時、そのコンテンツの放送時間内に、そのチャンネルを選局すると自動的に蓄積されているコンテンツの再生を行い、その再生部分も、実際の放送と同時刻の部分を提示する。
【００２８】
尚、事前配信されたコンテンツと異なる番組を放送するエリアにいる時には、そのチャンネルを選局しても、そのコンテンツの再生は行わず、その番組の実放送時間が終了した場合に、その事前配信コンテンツについて録画済コンテンツとして視聴することを可能とする。尚、この際の携帯端末の位置の特定方法は例えばＧＰＳなどが挙げられるが、特にＧＰＳに限定するものではない。
【００２９】
また、事前配信コンテンツを受信する時間帯に関しては、入力ＩＦからユーザに設定させる方法がある。事前配信コンテンツを受信する方法は、ユーザによって自動または手動で変更可能である。事前配信コンテンツを受信する方法としては、例えば放送波のデータの隙間に埋め込まれていて、事前蓄積すべきデータが埋め込まれている場合には図１におけるアンテナ部１７より事前蓄積用のコンテンツを含む電波を受信し、事前蓄積用のコンテンツを取り出して蓄積する方法を用いても良い。また、通信部２３により、番組配信局１と通信を行って、事前蓄積するコンテンツを取得しても良い。上記において具体的な取得方法や仕掛けなどについては、本発明の中核をなすものではなく、種々の方法を適用可能であるため、ここでは詳細な言及はしない。
【００３０】
事前配信コンテンツの受信を自動にした場合に、充電器（クレードルなど）に設置した時など、何らかのイベントが起きた場合にコンテンツを取得するように制御する機能を持つようにしても良い。既に蓄積済みの予約コンテンツの予約を取り消す操作をした場合には、自動的に蓄積済みのコンテンツも消去するようにしても良い。このようにすれば、著作権の問題に関しても、実際にユーザが放送コンテンツを視聴可能になった場合にのみコンテンツを視聴できるように制御されるため、実際に放送番組を視聴する場合と同様の制約を受けながらコンテンツの視聴が可能であるという点において、一般的な著作権上の制約と同様の制約を受けるような仕組みをつくることができる。
【００３１】
次に、図８を参照しつつ、コンテンツが音楽コンテンツである場合の例について説明する。音楽コンテンツの場合には、リアルタイムに放送される放送番組コンテンツとは異なり、ある時点から全てのコンテンツに関する上記種々の操作が可能になるのが好ましい。例えば、図８に示すように、２００５年３月１日の午前９時に発売となる音楽アルバムがあるとする。ユーザーが事前にこのコンテンツを購入し取得しておくと、そのアルバムの発売日時までは視聴することが出来ないが、発売日時を過ぎると、アルバムの最初の曲から徐々に視聴が可能になっていくわけではなく、そのアルバム全体が一気に視聴可能となる。本実施の形態による技術においても同様に一気に視聴可能になることにより、発売と同時にアルバムを購入して視聴するのと同等のものとなり、発売日時に購入に行くことが出来なくても同等の条件で視聴が可能となり、かつ、音楽コンテンツを蓄積した記憶媒体（例えばＣＤ）を購入した場合と同等に著作権上の制約をうける。
【００３２】
尚、本実施の形態による受信端末には、アンテナ及び受信部と通信部とが両方搭載されているが、蓄積コンテンツも放送波で受信する場合は特に通信部を必要としない。番組配信局においても、通信部を必要としない点は同様である。また、通信によってコンテンツを取得する時、充電器に設置することで取得処理を開始する時などにおいては、携帯端末に通信部があるのが必須であるというわけではなく、充電器に通信部を設けて、充電器部分が外部のネットワークと繋がるような構成を有していても良い。
【００３３】
以上に説明したように、本実施の形態による携帯端末においては、事前にコンテンツを取得しておくことで、実際に電波が受けられない場所にいる場合でも、一般的な著作権上の制約を受けながらコンテンツの視聴又は予約を行うことができる。従って、著作権上は問題のない仕組みのなかで、電波などの問題でコンテンツを取得できない状況の中でも、コンテンツを視聴することができるという利点がある。
【産業上の利用可能性】
【００３４】
本発明は、移動体端末におけるコンテンツ取得・再生装置として利用可能である。
【図面の簡単な説明】
【００３５】
【図１】本発明の実施の形態による携帯受信端末（移動体端末）を含む通信システム構成例を示す図である。
【図２】コンテンツデータの構成例を示す図である。
【図３】移動体端末を用いたコンテンツ視聴に関する処理の流れを示すフローチャート図である。
【図４】移動体端末を用いたコンテンツ視聴に関する処理の流れを示すフローチャート図である。
【図５】移動体端末を用いたコンテンツ視聴に関する処理の流れを示すフローチャート図である。
【図６】移動体端末を用いたコンテンツ視聴に関する処理の流れを示すフローチャート図である。
【図７】映像コンテンツの場合のコンテンツ再生の原理を示す図である。
【図８】コンテンツが音楽コンテンツである場合の例について説明する。
【符号の説明】
【００３６】
Ａ‥携帯受信端末を含む通信システム、１‥ＴＶ局、ラジオ局などの番組配信局、３‥アンテナ、５‥送信部、７‥コンテンツの蓄積部、１０‥通信部、１１‥携帯受信端末、１５‥制御部、１７‥アンテナ部、２１‥受信部、２７‥入力部、３１‥表示部。
【図１】
2006270232.tif 000003
【図２】
2006270232.tif 000004
【図３】
2006270232.tif 000005
【図４】
2006270232.tif 000006
【図５】
2006270232.tif 000007
【図６】
2006270232.tif 000008
【図７】
2006270232.tif 000009
【図８】
2006270232.tif 000010